(57)【要約】【課題】  本発明は発熱により熱膨張が生じても、確実にその熱膨張を吸収して、損傷したり、接続が不完全になったりするのを防止できる低圧ケーブルの接続具を得るにある。【解決手段】  低圧ケーブルの端部の表出させた導体を挿入して圧縮固定することができる導体圧縮固定筒が一端部に形成され他端部に端子挿入孔および外周部にねじ部が形成されたメス形端子と、低圧ケーブルの端部の表出させた導体を挿入して圧縮固定することができる導体圧縮固定筒が一端部に形成され他端部にメス形端子の端子挿入孔に挿入される棒状端子が形成されたオス形端子と、このオス形端子の棒状端子の根元部あるいは先端部に設けられた、取付け時の位置決めが図れることができる収縮可能なスペーサーと、オス形端子の導体圧縮固定筒上をスライド移動しオス形端子に設けられた係止部で係止されるとともにメス形端子のねじ部と螺合するナットとで低圧ケーブルの接続具を構成している。【選択図】  図２
2008198509.tif 000002
【特許請求の範囲】
【請求項１】
低圧ケーブルの端部の表出させた導体を挿入して圧縮固定することができる導体圧縮固定筒が一端部に形成され、他端部に端子挿入孔および外周部にねじ部が形成されたメス形端子と、低圧ケーブルの端部の表出させた導体を挿入して圧縮固定することができる導体圧縮固定筒が一端部に形成され、他端部に前記メス形端子の端子挿入孔に挿入される棒状端子が形成されたオス形端子と、このオス形端子の棒状端子の根元部あるいは先端部に設けられた、取付け時の位置決めが図れることができる収縮可能なスペーサーと、前記オス形端子の導体圧縮固定筒上をスライド移動し、前記オス形端子に設けられた係止部で係止されるとともに、前記メス形端子のねじ部と螺合するナットとからなることを特徴とする低圧ケーブルの接続具。
【請求項２】
低圧ケーブルの端部の表出させた導体を挿入して圧縮固定することができる導体圧縮固定筒が一端部に形成され、他端部に端子挿入孔および外周部にねじ部が形成されたメス形端子と、低圧ケーブルの端部の表出させた導体を挿入して圧縮固定することができる導体圧縮固定筒が一端部に形成され、外周に突出する係止部を介して外方へ突出する他端部に前記メス形端子の端子挿入孔に導通状態で挿入される該端子挿入孔より短い棒状端子が形成されたオス形端子と、このオス形端子の棒状端子の根元部あるいは先端部に位置するように取付けられた、取付け時の位置決めが図れ、かつ熱膨張時の移動スペースの確保を図ることができるスペーサーと、前記オス形端子の導体圧縮固定筒上をスライド移動し、前記係止部で係止されるとともに、前記メス形端子のねじ部と螺合するナット、前記オス形端子およびメス形端子を絶縁状態で覆う保護カバーあるいは絶縁収縮チューブとからなることを特徴とする低圧ケーブルの接続具。
【発明の詳細な説明】
【技術分野】
【０００１】
本発明は低圧ケーブルを接続する低圧ケーブルの接続具に関する。
【背景技術】
【０００２】
従来、低圧ケーブルを接続する場合、オス形端子とメス形端子とをナットで締付け固定する接続具を使用することが考えられている。
【０００３】
しかしながら、大きいサイズの低圧ケーブルは小さいサイズの低圧ケーブルに比べ、通電時の発熱により、そのまま使用した場合、導体の熱膨張により接続具を損傷させてしまうという欠点があった。
【特許文献１】特になし
【発明の開示】
【発明が解決しようとする課題】
【０００４】
本発明は以上のような従来の欠点に鑑み、発熱により導体に熱膨張が生じても、確実にその熱膨張を吸収して、損傷したり、接続が不完全になったりするのを防止できる低圧ケーブルの接続具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は低圧ケーブルの端部の表出させた導体を挿入して圧縮固定することができる導体圧縮固定筒が一端部に形成され、他端部に端子挿入孔および外周部にねじ部が形成されたメス形端子と、低圧ケーブルの端部の表出させた導体を挿入して圧縮固定することができる導体圧縮固定筒が一端部に形成され、他端部に前記メス形端子の端子挿入孔に挿入される棒状端子が形成されたオス形端子と、このオス形端子の棒状端子の根元部あるいは先端部に設けられた、取付け時の位置決めが図れることができる収縮可能なスペーサーと、前記オス形端子の導体圧縮固定筒上をスライド移動し、前記オス形端子に設けられた係止部で係止されるとともに、前記メス形端子のねじ部と螺合するナットとで低圧ケーブルの接続具を構成している。
【発明の効果】
【０００７】
以上の説明から明らかなように、本発明にあっては次に列挙する効果が得られる。
【０００８】
(１)  低圧ケーブルの端部の表出させた導体を挿入して圧縮固定することができる導体圧縮固定筒が一端部に形成され、他端部に端子挿入孔および外周部にねじ部が形成されたメス形端子と、低圧ケーブルの端部の表出させた導体を挿入して圧縮固定することができる導体圧縮固定筒が一端部に形成され、他端部に前記メス形端子の端子挿入孔に挿入される棒状端子が形成されたオス形端子と、このオス形端子の棒状端子の根元部あるいは先端部に設けられた、取付け時の位置決めが図れることができる収縮可能なスペーサーと、前記オス形端子の導体圧縮固定筒上をスライド移動し、前記オス形端子に設けられた係止部で係止されるとともに、前記メス形端子のねじ部と螺合するナットとで構成されているので、スペーサーによってナットの締付け時にメス形端子の他端部とオス形端子の係止部との間に隙間を有するように締付けることができる。  
したがって、熱膨張を前記隙間で吸収することができる。
【０００９】
（２）前記（１）によって、ナットを締付けるだけでスペーサーによって隙間を設けることができるので、熟練者でなくてもナットを締付けることができる所まで締付ければよいので、誰でもが確実に接続作業を行なうことができる。
【００１０】
（３）前記（１）によって、スペーサーを介装させるだけでよいので、容易に実施することができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１は本発明の低圧ケーブルの接続具で、この低圧ケーブルの接続具1は一方の低圧ケーブル2の端部のシース３を除去して表出させた導体４を挿入して圧縮固定することができる導体圧縮固定筒５が一端部に形成され、他端部に端子挿入孔６および外周部にねじ部７を設けた嵌合筒８が形成された導電材製のメス形端子９と、低圧ケーブル２の端部の表出させた導体４を挿入して圧縮固定することができる導体圧縮固定筒１０が一端部に形成され、他端部に前記メス形端子９の端子挿入孔６に挿入される棒状端子１２が形成された導電材製のオス形端子１３と、このオス形端子１３の棒状端子１２の根元部あるいは先端部に位置するように取付けられた、取付け時の位置決めが図れることができる収縮可能なシリコンゴム材製のスペーサー１４と、前記オス形端子１３の導体圧縮固定筒１０上をスライド移動し、前記オス形端子１３に設けられた係止部１１で係止されるとともに、前記メス形端子９のねじ部７と螺合するナット１５と、前記メス形端子９の導体圧縮固定筒５の端部と一方の低圧ケーブル2の端部のシース３との間および、前記オス形端子１３の導体圧縮固定筒１０の端部と、他方の低圧ケーブル2の端部のシース３との間に絶縁ゴム１６、１６で絶縁処理した後、この絶縁ゴム１６、１６の外側端子間と端子全体を絶縁シート１６Aを介して覆う絶縁シート材製の収縮チューブ１７とで構成されている。
なお、オス形端子１３、メス形端子９それぞれの加工工程で、導体圧縮端子とシースとの間に絶縁ゴム１６を入れ、露出した導体を絶縁し、かつ窪んだ部分を埋める。続いてシース、絶縁ゴム、および端子を覆うように接着テープを巻いて一体化する。
次に、ケープルの敷設現場でオス形端子１３とメス形端子９を接続し、その上から絶縁シート１６Ａを巻く。コネクタ部分が絶縁されればよいので、絶縁シート１６Ａはシースまで巻いても、巻かなくてもよい。
絶縁シート１６Ａの内側は接着剤が塗布されている又は、接着層があり、絶縁シートは両端子に接着される。
次に、収縮チューブ１７をその上に被せ(収縮チューブ１７は二つのケーブルを接続する前にどちらかのケーブルに通しておく)収縮させる。オス形端子１３およびメス形端子９の保護のためには絶縁シートの上だけでもよい。
一方のケーブルのシースから他方のケーブルのシースまで被せるのが防滴性能の点で好ましい。
なお、端子挿入孔６内にはスリーブ状の接触子(図示せず)が設けられ、棒状端子１２はその接触子と接触し、通電時にオス形端子１３とメス形端子９が導通する。
【００１４】
上記構成の低圧ケーブルの接続具１は、根元にスペーサー１４を設けた場合、メス形端子９の先端部がスペーサー１４に接触して、スペーサー１４がメス形端子９の先端と棒状端子１２の根元の間に挟まれると、オス形端子１３とメス形端子９を軽く押した程度では両者は近づかない(位置決めされる)。すなわち、ナットで締めたときの抵抗が大きく、そこのナットの締め付けを完了することとなる。このとき、棒状端子１２の先端と端子挿入孔６の底との間には隙間がある。導体が熱膨張してオス形端子１３とメス形端子９を押し込むとスペーサー１４が収縮して両端子がさらに近づき導体の熱膨張を吸収する。
スペーサの弾性率は４、５ＭＰａ程度が好ましい。ナットを締め付けたときの抵抗があって位置決めでき、かつ導体の熱膨張を収縮により吸収できる。
先端にスペーサー１４がある場合、メス形端子９の端子挿入孔６にスペーサー１４を入れておく。棒状端子１２を端子挿入孔６に挿入してスペーサー１４に突き当て、スペーサー１４が棒状端子１２の先端と端子挿入孔６の底に挟まれると、オス形端子１３とメス形端子９を軽く押した程度では両者は近づかない(位置決めされる)。すなわち、ナットで締めたときの抵抗が大きく、そこのナットの締め付けを完了することとなる。このときメス形端子９の先端と棒状端子１２の根元との間に隙間がある。導体が熱膨張してオス形端子１３とメス形端子９を押し込むとスペーサー１４が収縮して両端子がさらに近づき導体の熱膨張を吸収する。
メス形端子９の嵌合筒８の端子挿入孔６内にオス形端子１３の棒状端子１２を挿入して、ナット１５をねじ部７に螺合させて締付けていくと、スペーサー１４の両端部に隙間がなくなると大きな抵抗となり、所定位置まで締付けたことを感じてナット１５の締付けの完了を知ることができ、必要以上に締付けたり、締付けない等の作業ミスを防止することができる。
また、接続して使用状態で低圧ケーブル２、２が、大きな発熱が生じた場合、図６に示すようにメス形端子９の嵌合筒８の端部８ａがオス形端子１３の棒状端子１２上を係止部１１方向へスペーサー１４を変形させながらスライド移動して、その熱膨張を吸収することができる。
[発明を実施するための異なる形態]
【００１５】
次に、図７ないし図１１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図７ないし図９に示す本発明を実施するための第２の形態において、前記本発明を実施するための最良の第１の形態と主に異なる点は、嵌合筒８の外周部にナット１５との螺合状態が最適状態となる、該ナット１５の先端部位置を示す記号や溝等の表示１８を形成したメス形端子９Ａを用いた点で、このように形成されたメス形端子９Ａを用いて構成した低圧ケーブルの接続具１Ａにしても、前記本発明を実施するための最良の第１の形態と同様な作用効果が得られる。
【００１７】
図１０および図１１に示す本発明を実施するための第３の形態において、前記本発明を実施するための最良の第１の形態と主に異なる点は、絶縁ゴム１６、１６部分を覆う収縮チューブ１９、１９でシース３、３に取付けられたゴムブーツ２０、２０と、このゴムブーツ２０、２０に両端部が取付けられたＦＲＰパイプ２１と、このＦＲＰパイプ２１と前記ゴムブーツ２０、２０の先端部との間を覆うように取付けられた収縮チューブ２２と、この収縮チューブ２２の両端部と前記ゴムブーツ２０、２０の外周部を覆うようにシース３、３に収縮チューブ２３、２３で取付けられた端部保護カバー２４、２４とからなる保護カバー２５を用いた点で、このような保護カバー２５を用いた低圧ケーブルの接続具１Ｂにしても、前記本発明を実施するための最良の第１の形態と同様な作用効果が得られる。
【００１８】
なお、前記本発明の各実施の形態では低圧ケーブル2を用いるものについて説明したが、本発明はこれに限らず低圧ブランチケーブルを用いてもよい。
【産業上の利用可能性】
【００１９】
本発明は低圧ケーブルの接続具を製造する産業で利用される。
【図面の簡単な説明】
【００２０】
【図１】本発明を実施するための最良の第１の形態の正面図。
【図２】図１の２−２線に沿う断面図。
【図３】本発明を実施するための最良の第１の形態の要部分解斜視図。
【図４】本発明を実施するための最良の第１の形態のメス形端子の説明図。
【図５】本発明を実施するための最良の第１の形態のオス形端子の説明図。
【図６】本発明を実施するための最良の第１の形態の熱膨張した状態の動作説明図。
【図７】本発明を実施するための第２の形態の正面図。
【図８】図７の８−８線に沿う断面図。
【図９】本発明を実施するための第２の形態の要部分解斜視図。
【図１０】本発明を実施するための第３の形態の正面図。
【図１１】図１０の１１−１１線に沿う断面図。
【符号の説明】
【００２１】
１、１Ａ、１Ｂ：低圧ケーブルの接続具、
２：低圧ケーブル、
３：シース、                                                ４：導体、
５：導体圧縮固定筒、                    ６：端子挿入孔、
７：ねじ部、                                                ８：嵌合筒、
９、９Ａ：メス形端子、                １０：導体圧縮固定筒、
１１：フランジ部、                                    １２：棒状端子、
１３：オス形端子、                                    １４：スペーサー、
１５：ナット、                                １６：絶縁ゴム、
１６Ａ：絶縁シート、          １７：収縮チューブ、
１８：表示、                  １９：収縮チューブ、
２０：ゴムブーツ、            ２１：ＦＲＰパイプ、
２２：収縮チューブ、          ２３：収縮チューブ、
２４：端部保護カバー、        ２５：保護カバー。
【図１】
2008198509.tif 000003
【図２】
2008198509.tif 000004
【図３】
2008198509.tif 000005
【図４】
2008198509.tif 000006
【図５】
2008198509.tif 000007
【図６】
2008198509.tif 000008
【図７】
2008198509.tif 000009
【図８】
2008198509.tif 000010
【図９】
2008198509.tif 000011
【図１０】
2008198509.tif 000012
【図１１】
2008198509.tif 000013